(57)【要約】【課題】ユーザの利便性を向上させた遠隔操作装置及びプログラムを提供することである。【解決手段】家電機器を遠隔操作するアプリケーションを備えた遠隔操作装置であって、遠隔操作対象とする家電機器を登録する家電機器登録部と、前記アプリケーション起動後に遠隔操作を行うための画面として最初に表示される操作画面の表示態様を、前記家電機器登録部により登録されている家電機器の数に応じて変化させる起動時画面制御部と、を備えた。【選択図】図３
2020036276.tif 000002
【特許請求の範囲】
【請求項１】
家電機器を遠隔操作するアプリケーションを備えた遠隔操作装置であって、
遠隔操作対象とする家電機器を登録する家電機器登録部と、
前記アプリケーション起動後に遠隔操作を行うための画面として最初に表示される操作画面の表示態様を、前記家電機器登録部により登録されている家電機器の数に応じて変化させる起動時画面制御部と、
を備えた遠隔操作装置。
【請求項２】
前記家電機器登録部により登録された家電機器を、家電機器の種類に応じてグループ化し、またはユーザの操作に応じてグループ化するグループ部を備えた請求項１に記載の遠隔操作装置。
【請求項３】
前記起動時画面制御部は、前記グループ部によりグループ化されたグループに属する家電機器の状況に応じて、前記操作画面の表示態様を変化させる請求項２に記載の遠隔操作装置。
【請求項４】
前記グループ部によりグループ化されたグループに属する家電機器を同時に遠隔操作するグループ制御部を備えた請求項２または請求項３に記載の遠隔操作装置。
【請求項５】
前記起動時画面制御部は、前記家電機器登録部により登録された家電機器が通信可能か否かに応じて、前記操作画面の表示態様を変化させる請求項２に記載の遠隔操作装置。
【請求項６】
前記起動時画面制御部は、前記家電機器登録部により登録された家電機器が通信不可能な場合には、前記操作画面において、当該家電機器を示す画像を表示しないか、当該家電機器を示す画像をグレーアウトで表示し、当該家電機器を示す画像をグレーアウトで表示した場合には、当該家電機器が選択されたとしても前記操作画面に遷移させない請求項１から請求項５のいずれか１項に記載の遠隔操作装置。
【請求項７】
前記操作画面が表示される前に、ユーザを認証する認証画面が表示される請求項１から請求項６のいずれか１項に記載の遠隔操作装置。
【請求項８】
コンピュータを家電機器を遠隔操作するアプリケーションを備えた遠隔操作装置として機能させるためのプログラムであって、
遠隔操作対象とする家電機器を登録する家電機器登録部と、
前記アプリケーション起動後に遠隔操作を行うための画面として最初に表示される操作画面の表示態様を、前記家電機器登録部により登録されている家電機器の数に応じて変化させる起動時画面制御部として機能させるためのプログラム。
【発明の詳細な説明】
【技術分野】
【０００１】
本発明の実施形態は、遠隔操作装置及びプログラムに関する。
【背景技術】
【０００２】
家電機器をスマートフォンなどで遠隔操作する技術がある。こうしたスマートフォンには、家電機器を遠隔操作するための遠隔操作アプリーケーションがインストールされている。スマートフォンにおいて、アプリケーションが起動されると、特定の画面や、前回使用したときに表示されていた画面などが表示され、ユーザの利便性を損なう場合があった。このような問題は、スマートフォンに限られた問題ではなく、遠隔操作を可能とする情報機器に共通する問題であった。
【先行技術文献】
【特許文献】
【０００３】
【特許文献１】特開２０１３−０４７９２４号公報
【発明の概要】
【発明が解決しようとする課題】
【０００４】
本発明が解決しようとする課題は、家電機器の遠隔操作に関して、ユーザの利便性を向上させた遠隔操作装置及びプログラムを提供することである。
【課題を解決するための手段】
【０００５】
実施形態の遠隔操作システムは、家電機器を遠隔操作するアプリケーションを備えた遠隔操作装置であって、家電機器登録部と、起動時画面制御部とを持つ。家電機器登録部は、遠隔操作対象とする家電機器を登録する。起動時画面制御部は、前記アプリケーション起動後に遠隔操作を行うための画面として最初に表示される操作画面の表示態様を、前記家電機器登録部により登録されている家電機器の数に応じて変化させる。
【図面の簡単な説明】
【０００６】
【図１】実施形態の遠隔操作システム２００を含む全体構成例を示す図。
【図２】スマートフォン３０の構成例を示す図。
【図３】操作画面の表示態様の一例を示す図。
【図４】他の画面例を示す図。
【図５】洗濯機が通信不可能な場合の表示態様を示す図。
【図６】アプリ３０１の起動処理の流れを示すフローチャート。
【図７】アプリ３０１の起動処理の流れを示すフローチャート。
【発明を実施するための形態】
【０００７】
以下、実施形態の遠隔操作装置及びプログラムを、図面を参照して説明する。
【０００８】
図１は、実施形態のスマートフォン３０を含む全体構成例を示す図である。図１には、サーバ４０、ネットワーク５０、スマートフォン３０、冷蔵庫１０Ａ、洗濯機１０Ｂ、及びエアコン１０Ｃが示されている。この実施形態において、スマートフォン３０は、遠隔操作装置の一例である。冷蔵庫１０Ａ、洗濯機１０Ｂ、及びエアコン１０Ｃは家電機器の一例である。
【０００９】
冷蔵庫１０Ａ、洗濯機１０Ｂ、及びエアコン１０Ｃは、１つの家庭内に設けられている。また、冷蔵庫１０Ａ、洗濯機１０Ｂ、及びエアコン１０Ｃは、スマートフォン３０により遠隔操作可能な家電機器である。冷蔵庫１０Ａ、洗濯機１０Ｂ、及びエアコン１０Ｃは、家庭内に設けられたルータ等を介してネットワーク５０に接続する。以下の説明において、冷蔵庫１０Ａ、洗濯機１０Ｂ、及びエアコン１０Ｃのそれぞれを特に区別しない場合には、任意の一台を家電機器１０と称する。
【００１０】
ネットワーク５０は、インターネット、一般電話回線、及び携帯電話回線等で構成される。サーバ４０は、家電機器１０を遠隔操作するために、スマートフォン３０と家電機器１０との通信を中継する。
【００１１】
スマートフォン３０には、家電機器１０を遠隔操作するためのアプリケーション（以下、「アプリ」ともいう）がインストールされている。ユーザは、スマートフォン３０においてアプリを起動して、家電機器１０を遠隔操作する。アプリは、ネットワーク５０及びサーバ４０を介して、家電機器１０と通信する。
【００１２】
図２は、スマートフォン３０の構成例を示す図である。スマートフォン３０は、アプリ３０１、表示部３０２、操作部３０３、及び通信部３０４で構成される。アプリ３０１は、家電機器登録部３０５、起動時画面制御部３０６、グループ部３０７、及びグループ制御部３０８で構成される。上述した各部は、不図示のＣＰＵ（Central Processing Unit）、ＲＯＭ（Read Only Memory）、ＲＡＭ（Random Access Memory）などを含むマイクロコンピュータにより制御される。また、アプリ３０１のプログラムは、ＲＯＭに記憶されている。
【００１３】
家電機器登録部３０５は、遠隔操作対象とする家電機器をサーバ４０に登録する。具体的に、家電機器登録部３０５は、ユーザの指示により、サーバ４０に登録されている家電機器と、ユーザのアカウントとを紐づける要求をサーバ４０に行う。サーバ４０は、当該要求を受信すると、受信したアカウントを家電機器を遠隔操作可能なアカウントとして登録する。起動時画面制御部３０６は、アプリ３０１起動後に遠隔操作を行うための画面として最初に表示される操作画面の表示態様を、家電機器登録部３０５により登録されている家電機器の数に応じて変化させる。表示態様等については後述する。
【００１４】
グループ部３０７は、家電機器登録部３０５により登録された家電機器を、家電機器の種類に応じてグループ化し、またはユーザの操作に応じてグループ化する。グループを示すデータは、グループ名とグループに属する家電機器を一意に示す情報で構成され、ＲＯＭ（フラッシュメモリ）に記憶される。
【００１５】
グループ部３０７は、ユーザの遠隔操作対象として、例えば３台のエアコンが登録されている場合には、３台のエアコンを１つのグループにグループ化する。また、グループ部３０７は、ユーザの遠隔操作対象として、エアコン、冷蔵庫、洗濯機が登録されている場合に、ユーザによりグループ化する家電機器として、エアコンと冷蔵庫が指定操作された場合には、エアコンと冷蔵庫とを１つのグループにグループ化する。ユーザは、例えば自分の部屋に設置されている家電機器や、リビングに設置されている家電機器をグループ化することで、家電機器をまとめて制御したり、操作したい家電のみを表示することができるので、ユーザの利便性を向上することができる。
【００１６】
なお、グループ部３０７は、家電機器の種類に応じたグループ化を自動的に行ってもよい。例えば、家電機器が登録されるたびに、同じ種類の家電機器が登録されているか否かを判定し、同じ種類の家電機器が登録されている場合にはグループ化を行う。
【００１７】
グループ制御部３０８は、グループ部３０７によりグループ化されたグループに属する家電機器を同時に遠隔操作する。具体的に、グループ制御部３０８は、例えば３台のエアコンが１つのグループにグループ化されている場合、同じグループに属する３台のエアコンに対し、同時に電源をオンとしたり、同時に温度を設定するなどの遠隔操作を行うことが可能である。同じグループに属する家電機器を同時に制御する場合には、同じグループの家電機器に、制御指示をマルチキャストで送信する。例えば、ユーザの指示により、同時に電源をオンとする場合には、電源オンを指示するメッセージが同じグループの家電機器にマルチキャストで送信される。
【００１８】
表示部３０２は、例えば液晶や有機ＥＬ等の表示装置に各種情報を表示する。操作部３０３は、表示装置に重畳されたタッチパネルや、ハードキー等に対するユーザの操作を受け付ける。通信部３０４は、無線ＬＡＮや、４Ｇ（例えば、ＬＴＥ（Long Term Evolution）等）の各規格に従って無線接続に関する制御を行う。
【００１９】
図３は、アプリ３０１起動後に遠隔操作を行うための画面として表示装置に最初に表示される操作画面の表示態様の一例を示す図である。画面５００は、第１表示態様で表示された画面を示す。第１表示態様は、遠隔操作可能な家電機器として表示可能な家電機器が複数台存在し、かつ表示可能な家電機器の種類が２種類以上存在する場合の表示態様である。
【００２０】
画面５００は、表示可能な家電機器が、１台の冷蔵庫、１台の洗濯機、グループ化された複数台のエアコンの場合に表示される画面である。画面５００には、アイコン５０１、５０２、５０３、５０４が示されている。アイコン５０１は、冷蔵庫を示すアイコンである。アイコン５０２は、洗濯機を示すアイコンである。アイコン５０３は、グループ化されたエアコンを示すアイコンである。アイコン５０４は、家電機器の追加を示すアイコンである。
【００２１】
アイコン５０１に示される「ＸＸＸ−ｘｘｘｘ」やアイコン５０２に示される「ＹＹＹ−ｙｙｙｙ」は、家電機器の形式や名前など、家電機器を識別するための文字列である。後述するアイコン６０１等においても同様である。また、アイコン５０３に示される「エアコン」は、グループ名を示す。以下の説明において、アイコン５０１、５０２のように１つの家電機器を示すアイコンを個別アイコンと表現することがある。また、アイコン５０３のようにグループ化された家電機器を示すアイコンをグループアイコンと表現することがある。アイコン５０４のように、家電機器の追加を示すアイコンを登録アイコンと表現することがある。
【００２２】
アイコン５０１がタッチされると、第３表示態様に示されるような、冷蔵庫の遠隔操作画面が表示される。アイコン５０２がタッチされると、同様に洗濯機の遠隔操作画面が表示される。アイコン５０３に示されるように、グループ化された家電機器は、１つのアイコンで示される。アイコン５０３のようなグループアイコンは、グループアイコンであるため、家電機器を識別するための文字列は表示しない。アイコン５０３がタッチされると、第２表示態様に示されるように、グループ化されたエアコンを示す複数のアイコンが表示される。アイコン５０４がタッチされると、家電機器を追加登録するための不図示の画面が表示される。
【００２３】
画面６００は、第２表示態様で表示された画面を示す。第２表示態様は、遠隔操作可能な家電機器として表示可能な家電機器が複数台存在し、かつ表示可能な家電機器の種類が１種類の場合の表示態様である。すなわち、第２表示態様は、表示可能な家電機器が、同一種類の複数の家電機器の場合の表示態様である。
【００２４】
画面５００は、表示可能な家電機器が、グループ化された３台のエアコンの場合に表示される画面である。画面６００には、アイコン６０１、６０２、６０３、及び操作ボタン６０４が示されている。アイコン６０１は、グループに属する１台のエアコンを示すアイコンである。アイコン６０２は、グループに属する１台のエアコンを示すアイコンである。アイコン６０３は、グループに属する１台のエアコンを示すアイコンである。操作ボタン６０４は、グループに属する家電機器を同時に遠隔操作するためのボタンである。アイコン６０１、６０２、６０３のいずれかがタッチされると、それぞれに対応するエアコンの遠隔操作画面が表示される。
【００２５】
画面６００に示されるように、第２表示態様では、画面５００で示したアイコン５０３のグループアイコンを表示せずに、個別アイコンを表示する。これにより、ユーザはグループアイコンをタッチしなくても、個別アイコンが表示されるので、グループアイコンを表示する場合と比較して、少ない操作で遠隔操作画面が表示されることから、ユーザの利便性を向上することができる。
【００２６】
画面７００は、第３表示態様で表示された画面を示す。第３表示態様は、遠隔操作可能な家電機器として表示可能な家電機器が１台の場合の表示態様である。画面６００には、冷蔵庫の遠隔操作画面が示されている。遠隔操作画面には、冷蔵庫に関するインフォメーションが表示される。画面６００において、ユーザが例えば「冷蔵室」をタッチすると、冷蔵室を遠隔操作するための画面が表示され、当該画面で遠隔操作できる。
【００２７】
画面７００に示されるように、第３表示態様では、画面５００で示したアイコン５０１などの個別アイコンを表示せずに、家電機器の遠隔操作画面を表示する。これにより、ユーザが個別アイコンをタッチしなくても、家電機器の遠隔操作画面が表示される。このように、個別アイコンを表示する場合と比較して、少ない操作で遠隔操作画面が表示されるので、ユーザの利便性を向上することができる。
【００２８】
図３に示した第１態様、第２態様、及び第３態様で表示される画面が操作画面の一例である。図３に示したように、登録されている家電機器の数に応じて変化させることで、少ない操作で遠隔操作画面が表示されるので、ユーザの利便性を向上させることができる。また、第１態様、第２態様、及び第３態様で示したように、家電機器の数とは、家電機器の台数または家電機器の種類の数を示している。
【００２９】
図４は、他の画面例を示す図である。画面８００は、スマートフォン３０にアプリ３０１をインストールした後に、アプリ３０１を初めて起動したとき表示される初起動画面を示す。画面８００は、ユーザにアプリ３０１の概要を示すための画面である。画面９００は、登録されている家電機器が０個の場合に表示される家電非登録時画面である。家電が登録されていないため、登録アイコンのみが表示される。画面１０００は、操作画面が表示される前に表示される、ユーザを認証する認証画面を示す。認証画面には、ユーザのユーザＩＤを入力する入力欄とパスワードを入力する入力欄が表示される。この認証画面は、初回起動時や、アプリ３０１を前回使用したときにログアウトした場合に、操作画面が表示される前に表示される。このように、認証画面を表示したとしても、登録されている家電機器の数に応じて第１態様、第２態様、及び第３態様で画面が表示されるので、ユーザの利便性を向上することができる。また、前回使用したときにログアウトした場合には、認証処理を行った方が好ましいため、認証画面を表示することでセキュリティも確保できる。
【００３０】
アプリ３０１は、家電機器が通信可能か否かに応じて、操作画面の表示態様を変化させる。家電機器が通信不可能な場合には、操作画面において、当該家電機器を示す画像を表示しないか、当該家電機器を示す画像をグレーアウトで表示する。一例として、図３で説明した画面５００において、洗濯機が通信不可能な場合の表示態様について説明する。
【００３１】
図５は、洗濯機が通信不可能な場合の表示態様を示す図である。図５には、図３で説明した画面５００と、洗濯機が通信不可能な場合の表示態様を示す画面５１０、５２０が示されている。画面５１０は、洗濯機を示すアイコン５０２を表示しない表示態様を示す。画面５２０は、洗濯機を示すアイコン５０２をグレーアウトで表示する表示態様を示す。
【００３２】
画面５１０では、アイコン５０２が表示されないことから、アイコン５０２を選択することができないため、画面が洗濯機の遠隔操作画面に遷移することはない。画面５２０では、アイコン５０２がグレーアウトで表示されるものの、アイコン５０２がタッチされても、画面は洗濯機の遠隔操作画面に遷移しない。いずれの場合も、通信不可能な場合は遠隔操作できないため、遠隔操作画面に遷移することはない。このようにすることで、操作できない遠隔操作画面に無駄に遷移させることを防止することができるので、ユーザの利便性を向上することができる。なお、グレーアウトで表示されているアイコンがタッチされた場合には、ポップアップ画面等により、通信不可能であることをユーザに報知してもよい。
【００３３】
画面５１０のように、アイコンを表示しない態様の場合、アイコンを表示する領域が１つ分空くこととなるため、アイコンを表示する領域を有効に活用することができる。画面５２０のように、アイコンをグレーアウトで表示する態様の場合、ユーザは通信不可能であることを一目で認識することができる。
【００３４】
なお、グループ化されている場合には、グループアイコンで表示されるが、例えばグループに属する家電機器のうち、１台を除いて全て通信不可能な場合には、グループアイコンで表示されずに、個別アイコンで表示される。このように、アプリ３０１は、グループ化されている場合にはグループ化されたグループに属する家電機器の状況に応じて、操作画面の表示態様を変化させる。このようにすることで、ユーザはグループアイコンをタッチすることなく個別アイコンだけをタッチすればよいので、ユーザの利便性を向上することができる。
【００３５】
次に、アプリ３０１の起動処理の流れについて説明する。図６は、アプリ３０１の起動処理の流れを示すフローチャートである。
【００３６】
スマートフォン３０のＣＰＵは、スマートフォン３０にアプリ３０１をインストールした後に、アプリ３０１を初めて起動したか否かを判定する（ステップＳ１０１）。アプリ３０１を初めて起動した場合には（ステップＳ１０１：ＹＥＳ）、ＣＰＵは、初起動画面（図４：画面８００）を表示して（ステップＳ１０３）、ステップＳ１０４に進む。アプリ３０１を初めて起動していない場合には（ステップＳ１０１：ＮＯ）、ＣＰＵは、ログアウト状態で起動したか否かを判定する（ステップＳ１０２）。ログアウト状態とは、アプリ３０１を前回使用したときにログアウトして起動した状態である。
【００３７】
ログアウト状態で起動していない場合には（ステップＳ１０２：ＮＯ）、サーバ４０に接続し、ステップＳ１０５において認証が成功したか否かが判定される。ログアウト状態で起動した場合には（ステップＳ１０２：ＹＥＳ）、ＣＰＵは認証画面（図４：画面１０００）を表示する（ステップＳ１０４）。ＣＰＵは認証に成功したか否かを判定する（ステップＳ１０５）。ここでは、例えばサーバ４０にユーザＩＤとパスワードを送信することで認証を行う。認証が成功しなかった場合には（ステップＳ１０５：ＮＯ）、ステップＳ１０４に戻り、再び認証画面を表示する。なお、ステップＳ１０２で否定判定されて認証を行う場合も、ステップＳ１０４で認証画面を表示して認証を行う場合も、サーバ４０がサービスを提供できない場合（例えばメンテナンス中など）には、認証画面が再び表示される。ここでは、仮にユーザＩＤとパスワードが正しい場合であっても、またはログアウト状態で起動していない場合であっても強制的にログアウトされ、認証画面が再び表示される。この認証画面には、例えば「メンテナンス中」などと表示してもよい。
【００３８】
認証に成功した場合には（ステップＳ１０５：ＹＥＳ）、ＣＰＵは、登録されている家電が０台か否かを判定する（ステップＳ１０６）。登録されている家電が０台の場合には（ステップＳ１０６：ＹＥＳ）、ＣＰＵは、家電非登録時画面（図４：画面９００）を表示して（ステップＳ１０７）、起動処理を終了する。登録されている家電が０台ではない場合には（ステップＳ１０６：ＮＯ）、図７のステップＳ２０１に進む。
【００３９】
図７のステップＳ２０１において、ＣＰＵは、登録されている家電機器との通信状態をチェックする（ステップＳ２０１）。ＣＰＵは、通信不可能な家電機器を表示対象から除外する（ステップＳ２０２）。このフローチャートでは、通信不可能な家電機器をグレーアウトで表示する態様ではなく、表示しない態様での処理例を示している。ＣＰＵは、通信不可能な家電機器を表示対象から除外した結果、表示可能な家電機器が０台となったか否かを判定する（ステップＳ２０３）。表示可能な家電機器が０台となった場合には（ステップＳ２０３：ＹＥＳ）、ＣＰＵは、家電非登録時画面（図４：画面９００）を表示して（ステップＳ１０７）、起動処理を終了する。
【００４０】
表示可能な家電機器が０台となっていない場合には（ステップＳ２０３：ＮＯ）、ＣＰＵは、表示可能な家電機器が１台か否かを判定する（ステップＳ２０４）。表示可能な家電機器が１台の場合には（ステップＳ２０４：ＹＥＳ）、ＣＰＵは、家電機器を第３表示態様（図３：画面７００）で表示して（ステップＳ２０５）、起動処理を終了する。
【００４１】
表示可能な家電機器が１台ではない場合には（ステップＳ２０４：ＹＥＳ）、ＣＰＵは、表示可能な家電機器が同一グループに属するか否かを判定する（ステップＳ２０６）。表示可能な家電機器が同一グループに属する場合には（ステップＳ２０６：ＹＥＳ）、ＣＰＵは、家電機器を第２表示態様（図３：画面６００）で表示して（ステップＳ２０７）、起動処理を終了する。表示可能な家電機器が同一グループに属さない場合には（ステップＳ２０６：ＮＯ）、ＣＰＵは、家電機器を第１表示態様（図３：画面５００）で表示して（ステップＳ２０８）、起動処理を終了する。
【００４２】
以上説明したように、登録されている家電機器の数に応じて第１表示態様、第２表示態様、及び第３表示態様で画面が表示されるので、ユーザの利便性を向上することができる。なお、この実施形態では、家電機器の数として、家電機器の台数または家電機器の種類の数を例に説明した。例えば、冷蔵庫１台、洗濯機１台、エアコン３台の場合は、画面５００が表示される。また、エアコン３台で、家電機器が１種類の場合には、画面６００が表示される。これ以外にも、家電機器の台数のみで表示態様を変化させてもよい。例えば、冷蔵庫１台、洗濯機１台、エアコン３台の場合は、画面５００に代えて、エアコンに対応するアイコンを１台ずつ表示してもよい。この場合、冷蔵庫と洗濯機に対応するアイコンも含め、１つの画面に５つのアイコンが表示されることとなる。
【００４３】
従来技術において、前回使用したときに表示されていた画面が起動時に表示されるものがある。この場合、ユーザは、その画面から他の画面（例えば、メニュー画面など）に遷移させる方法がわからなくなったりすることがあった。この実施形態によれば、第１表示態様、第２表示態様、及び第３表示態様のいずれかで画面が表示されることから、登録されたいずれの家電機器に対しても容易に遠隔操作画面を表示できるので、ユーザの利便性を向上することができる。
【００４４】
この実施形態では、遠隔操作装置をスマートフォンに適用した例を説明したが、遠隔操作装置は、タブレット端末や、ＰＣ（Personal Computer）など、ネットワーク接続可能な端末であればよい。また、スマートフォン３０は、サーバ４０を介して家電機器１０を遠隔制御したが、サーバ４０を介さずに家庭内ＬＡＮのみを介して遠隔制御してもよいし、ピアツーピアで接続して遠隔制御してもよい。
【００４５】
以上述べた実施形態の遠隔操作装置によれば、ユーザの利便性を向上させることが可能となる。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１０…家電機器、３０…スマートフォン、４０…サーバ、３０１…アプリケーション、３０５…家電機器登録部、３０６…起動時画面制御部、３０７…グループ部、３０８…グループ制御部
【図１】
2020036276.tif 000003
【図２】
2020036276.tif 000004
【図３】
2020036276.tif 000005
【図４】
2020036276.tif 000006
【図５】
2020036276.tif 000007
【図６】
2020036276.tif 000008
【図７】
2020036276.tif 000009